(57)【要約】【課題】歌詞画を容易に作成できる自動写真撮影装置を提供する。【解決手段】本発明による自動写真撮影装置は、利用者の操作に基づいて、歌詞フレーズが加えられる歌詞エリアを有する所望の装飾画像を選択する（Ｓ４１０）。続いて、選択された装飾画像の歌詞エリアに対応した既存の歌詞フレーズを選択する。又は、選択された装飾画像の歌詞エリア情報と、選択された所望の歌詞フレーズとに基づいて、歌詞フレーズ画像を作成する（Ｓ４１５）。装飾画像及び歌詞フレーズ画像を写真画像に合成し、歌詞画を作成する。【選択図】図１５
2006339951.tif 000002
【特許請求の範囲】
【請求項１】
利用者を撮影して写真画像を取得する撮影手段と、
前記写真画像のうち、歌詞フレーズ画像を加える歌詞エリアを指定する歌詞エリア指定手段と、
前記指定された歌詞エリアに基づいて歌詞フレーズ画像を設定する歌詞フレーズ画像設定手段と、
前記歌詞フレーズ画像を前記写真画像に合成して合成画像を作成する合成手段と、
前記合成画像を印刷する印刷手段とを備えることを特徴とする自動写真撮影装置。
【請求項２】
請求項１に記載の自動写真撮影装置であってさらに、
前記歌詞エリアが指定された複数の装飾画像を蓄積可能な装飾画像蓄積手段と、
前記複数の装飾画像の歌詞エリアに対応した複数の歌詞フレーズ画像を蓄積可能な歌詞フレーズ画像蓄積手段とを備え、
前記歌詞エリア指定手段は、前記複数の装飾画像の中から所望の装飾画像を選択し、
前記歌詞フレーズ画像設定手段は、前記選択された装飾画像の歌詞エリアに対応した複数の歌詞フレーズ画像から所望の歌詞フレーズ画像を選択し、
前記合成手段は、前記選択された装飾画像と前記選択された歌詞フレーズ画像とを、前記写真画像に合成することを特徴とする自動写真撮影装置。
【請求項３】
請求項１に記載の自動写真撮影装置であってさらに、
前記歌詞エリアが指定された複数の装飾画像を蓄積可能な装飾画像蓄積手段と、
前記複数の装飾画像の歌詞エリアに関する複数の歌詞エリア情報を登録可能な歌詞エリアデータベースを記憶する歌詞エリア記憶手段と、
複数の歌詞テキストデータを蓄積可能な歌詞テキストデータ蓄積手段とを備え、
前記歌詞エリア指定手段は、選択された前記装飾画像に対応した歌詞エリア情報を前記歌詞エリアデータベースから取得し、
前記歌詞フレーズ画像設定手段は、選択された前記歌詞テキストデータと、前記取得した歌詞エリア情報とに基づいて、前記歌詞フレーズ画像を作成し、
前記合成手段は、前記選択された装飾画像と前記作成された歌詞フレーズ画像とを、前記写真画像に合成することを特徴とする自動写真撮影装置。
【請求項４】
請求項３に記載の自動写真撮影装置であって、
前記歌詞フレーズ画像設定手段は、
前記選択された歌詞テキストデータの中から所望の歌詞フレーズを選択する歌詞フレーズ選択手段と、
前記選択された歌詞フレーズの文字数をカウントするカウント手段と、
前記取得した歌詞エリア情報と、前記カウントした文字数とに基づいて、前記選択された歌詞フレーズの文字サイズを決定する文字サイズ決定手段と、
前記歌詞エリア情報と、前記選択された歌詞フレーズと、前記決定した文字サイズとに基づいて、前記歌詞フレーズ画像を作成する作成手段とを含むことを特徴とする自動写真撮影装置。
【請求項５】
請求項１〜請求項４のいずれか１項に記載の自動写真撮影装置であって、
前記歌詞フレーズ画像設定手段は、前記撮影手段が写真画像を取得する前に、前記歌詞フレーズ画像を設定し、前記写真画像を取得した後に、前記利用者の操作に応じて前記設定した歌詞フレーズ画像を新たな歌詞フレーズ画像に差し替えることを特徴とする自動写真撮影装置。
【請求項６】
請求項１〜請求項５のいずれか１項に記載の自動写真撮影装置であってさらに、
前記合成手段により作成された合成画像を利用者の操作に応じて編集する編集手段を備えることを特徴とする自動写真撮影装置。
【請求項７】
利用者を撮影して写真画像を取得する撮影手段と、
前記取得した写真画像を表示する第１の表示手段と、
複数の歌詞テキストデータを蓄積可能な歌詞テキストデータ蓄積手段と、
利用者の操作に基づいて歌詞フレーズ画像を作成する歌詞フレーズ画像作成手段と、
前記写真画像を取得するとき、前記撮影手段が撮影した利用者を表示し、前記歌詞フレーズ画像を作成するとき、選択された前記歌詞テキストデータに基づく歌詞テキストを表示する第２の表示手段と、
前記作成した歌詞フレーズ画像を前記写真画像に合成する合成手段と、
前記合成した合成画像を印刷する印刷手段とを備えることを特徴とする自動写真撮影装置。
【請求項８】
利用者を撮影して写真画像を取得するステップと、
前記写真画像のうち、歌詞フレーズ画像を加える歌詞エリアを指定するステップと、
前記指定された歌詞エリアに基づいて前記歌詞フレーズ画像を設定するステップと、
前記歌詞フレーズ画像を前記写真画像に合成して合成画像を作成するステップと、
前記合成画像を印刷するステップとを備えることを特徴とする自動写真撮影方法。
【請求項９】
利用者を撮影して写真画像を取得するステップと、
前記写真画像のうち、歌詞フレーズ画像を加える歌詞エリアを指定するステップと、
前記歌詞エリアに基づいて前記歌詞フレーズ画像を設定するステップと、
前記歌詞フレーズ画像を前記写真画像に合成して合成画像を作成するステップと、
前記合成画像を印刷するステップとをコンピュータに実行させるための自動写真撮影プログラム。
【発明の詳細な説明】
【技術分野】
【０００１】
本発明は、自動写真撮影装置、自動写真撮影方法及び自動写真撮影プログラムに関し、さらに詳しくは、利用者を撮影して得た写真画像に基づいて歌詞画を作成する自動写真撮影装置、自動写真撮影方法及び自動写真撮影プログラムに関する。
【背景技術】
【０００２】
最近、特に若い女性の間で、歌詞画が流行している。歌詞画とは、写真やイラストなどを背景に，Ｊ−ＰＯＰ等のヒット曲の歌詞や詩などが、手書き文字で書き込まれている画像のことをいい、主として携帯電話端末の待ち受け画面として利用されている。
【０００３】
通常、歌詞画は描画アプリケーションをインストールしたコンピュータを用いて作成される。具体的には、背景となる人物等の画像に描画アプリケーションを用いて手書き文字を書き込むことにより作成される。そのため、歌詞画を作成するためには、コンピュータだけでなく、手書き文字を背景画像に書き込むための描画アプリケーションが必要であり、描画アプリケーションの操作にも慣れる必要がある。
【０００４】
さらに、描画アプリケーションを用いて手書き文字を書き込むため、歌詞画の作成には時間が掛かる。また、背景となる画像の選択や、手書き文字のデザイン等に、創作力を必要とする。
【０００５】
以上の通り、歌詞画を作成するには、所定のハードウェア及びソフトウェアが必要であり、かつ、時間も掛かるため、気軽に歌詞画を作成することができない。したがって、歌詞画を作成する人は限られており、多くの人は容易に歌詞画を作成できなかった。
【特許文献１】特開２００５−１０２１０２号公報
【特許文献２】特開２００３−３３１３５７号公報
【特許文献３】特開平１０−２０７４８０号公報
【特許文献４】特開平１０−１３３６７２号公報
【特許文献５】特開平６−２８２２８６号公報
【発明の開示】
【発明が解決しようとする課題】
【０００６】
本発明の目的は、歌詞画を容易に作成できる自動写真撮影装置、自動写真撮影方法及び自動写真撮影プログラムを提供することである。
【課題を解決するための手段及び発明の効果】
【０００７】
本発明による自動写真撮影装置は、撮影手段と、歌詞エリア指定手段と、歌詞フレーズ画像設定手段と、合成手段と、印刷手段とを備える。撮影手段は、利用者を撮影して写真画像を取得する。歌詞エリア指定手段は、写真画像のうち、歌詞フレーズ画像を加える歌詞エリアを指定する。歌詞フレーズ画像設定手段は、指定された歌詞エリアに基づいて歌詞フレーズ画像を設定する。合成手段は、歌詞フレーズ画像を写真画像に合成して合成画像を作成する。印刷手段は、作成された合成画像を印刷する。ここで、本明細書にいう歌詞には、詩、メッセージ性のある文章、格言、ことわざ、小説の一節等も含まれる。また、歌詞は、歌手や作詞家等の音楽制作者が作詞したものでもよいし、利用者等が作詞したオリジナルのものでもよい。
【０００８】
この自動写真撮影装置によれば、利用者が被写体となった写真画像に歌詞エリアを指定し、指定した歌詞エリアに歌詞フレーズ画像を設定することにより、写真画像に歌詞フレーズが書き込まれた歌詞画が作成される。そのため、利用者は、歌詞画を容易に作成できる。
【０００９】
好ましくは、自動写真撮影装置はさらに、装飾画像蓄積手段と、歌詞フレーズ画像蓄積手段とを備える。装飾画像蓄積手段は、歌詞エリアが指定された複数の装飾画像を蓄積する。歌詞フレーズ画像蓄積手段は、複数の装飾画像の歌詞エリアに対応した複数の歌詞フレーズ画像を蓄積する。歌詞エリア指定手段は、複数の装飾画像の中から所望の装飾画像を選択する。歌詞フレーズ画像設定手段は、選択された装飾画像の歌詞エリアに対応した複数の歌詞フレーズ画像から所望の歌詞フレーズ画像を選択する。合成手段は、選択された装飾画像と選択された歌詞フレーズ画像とを、写真画像に合成する。
【００１０】
この場合、装飾画像を選択することにより、歌詞エリアが指定され、その歌詞エリアに対応した歌詞フレーズ画像が選択される。そのため、利用者は、装飾画像と歌詞フレーズ画像とを選択すれば、容易に歌詞画を作成できる。
【００１１】
好ましくは、自動写真撮影装置はさらに、装飾画像蓄積手段と、歌詞エリア記憶手段と、歌詞テキストデータ蓄積手段とを備える。装飾画像蓄積手段は、歌詞エリアが指定された複数の装飾画像を蓄積する。歌詞エリア記憶手段は、複数の装飾画像の歌詞エリアに関する複数の歌詞エリア情報を登録可能な歌詞エリアデータベースを記憶する。歌詞テキストデータ蓄積手段は、複数の歌詞テキストデータを蓄積する。歌詞エリア指定手段は、選択された装飾画像に対応した歌詞エリア情報を歌詞エリアデータベースから取得する。歌詞フレーズ画像設定手段は、選択された歌詞テキストデータと、取得した歌詞エリア情報とに基づいて、歌詞フレーズ画像を作成する。合成手段は、選択された装飾画像と作成された歌詞フレーズ画像とを、写真画像に合成する。
【００１２】
この場合、複数の歌詞テキストデータの中から選択された歌詞テキストデータと、選択された装飾画像に対応した歌詞エリアとに基づいて、歌詞フレーズ画像が作成される。そのため、利用者はオリジナリティの高い歌詞フレーズ画像を作成でき、オリジナリティの高い歌詞画を作成できる。
【００１３】
好ましくはさらに、歌詞フレーズ画像設定手段は、歌詞フレーズ選択手段と、カウント手段と、文字サイズ決定手段と、作成手段とを備える。歌詞フレーズ選択手段は、選択された歌詞テキストデータの中から所望の歌詞フレーズを選択する。カウント手段は、選択された歌詞フレーズの文字数をカウントする。文字サイズ決定手段は、取得した歌詞エリア情報と、カウントした文字数とに基づいて、選択された歌詞フレーズの文字サイズを決定する。作成手段は、歌詞エリア情報と、選択された歌詞フレーズと、決定した文字サイズとに基づいて、歌詞フレーズ画像を作成する。
【００１４】
この場合、歌詞フレーズの文字数と歌詞エリア情報とに基づいて、文字サイズが決定されるため、歌詞フレーズの文字数に応じた歌詞フレーズ画像を自動的に作成できる。そのため、オリジナリティの高い歌詞フレーズ画像を容易に作成できる。
【００１５】
好ましくは、歌詞フレーズ画像設定手段は、撮影手段が写真画像を取得する前に、歌詞フレーズ画像を設定し、写真画像を取得した後に、利用者の操作に応じて設定した歌詞フレーズ画像を新たな歌詞フレーズ画像に差し替える。
【００１６】
この場合、歌詞フレーズ画像を撮影前に予め設定できるため、利用者は、撮影前に、作成したい歌詞画のイメージを固めることができ、そのイメージに合わせたポーズや表情の写真画像を取得できる。また、取得した写真画像のイメージが、予め設定した歌詞フレーズ画像のイメージと異なる場合、新たな歌詞フレーズ画像を設定し、予め設定した歌詞フレーズ画像と差し替えることができる。そのため、利用者のイメージにより近い歌詞画を作成できる。
【００１７】
好ましくは、自動写真撮影装置はさらに、編集手段を備える。編集手段は、合成手段により作成された合成画像を利用者の操作に応じて編集する。
【００１８】
この場合、合成画像をさらに編集できるため、利用者のイメージにより近い歌詞画を作成でき、オリジナリティの高い歌詞画を作成できる。
【００１９】
本発明による自動写真撮影方法は上記自動写真撮影装置を動作させる方法であり、本発明による自動写真撮影プログラムはその方法をコンピュータに実行させるためのプログラムである。
【００２０】
本発明による自動写真撮影装置は、撮影手段と、第１の表示手段と、歌詞テキストデータ蓄積手段と、歌詞フレーズ画像作成手段と、第２の表示手段と、合成手段と、印刷手段とを備える。撮影手段は、利用者を撮影して写真画像を取得する。第１の表示手段は、取得した写真画像を表示する。歌詞テキストデータ蓄積手段は、複数の歌詞テキストデータを蓄積する。歌詞フレーズ画像作成手段は、利用者の操作に基づいて歌詞フレーズ画像を作成する。第２の表示手段は、写真画像を取得するとき、撮影手段が撮影した利用者を表示し、歌詞フレーズ画像を作成するとき、選択された歌詞テキストデータに基づく歌詞テキストを表示する。合成手段は、作成した歌詞フレーズ画像を写真画像に合成する。印刷手段は、合成した合成画像を印刷する。
【００２１】
この自動写真撮影装置によれば、利用者は、写真画像を取得するときは、撮影手段に撮影された利用者自身を第２の表示手段で確認できる。また、歌詞フレーズ画像を作成するときは、取得した写真画像に合成したい歌詞を第２の表示画面に表示させることにより、その歌詞を見ながら、歌詞フレーズ画像を作成できる。
【発明を実施するための最良の形態】
【００２２】
以下、図面を参照し、本発明の実施の形態を詳しく説明する。図中同一又は相当部分には同一符号を付してその説明は繰り返さない。
【００２３】
１．外観構成
図１及び図２を参照して、本発明の実施の形態による自動写真撮影装置１は、両端に配置される２つの背面パネル５と、２つの背面パネル５間の中央に配置される筐体３とを備える。筐体３の正面３１と背面パネル５との間、筐体３の背面４１と背面パネル５との間にそれぞれ撮影空間２が形成される。要するに、自動写真撮影装置１は、互いに隣接する２つの撮影空間２を有し、各撮影空間２で撮影及び歌詞画の作成や写真画像の編集が実行される。各撮影空間２は、図示しないサイドカーテンにより外部と区別されている。
【００２４】
各背面パネル５の上部よりも少し前方には、背景ロールカーテンユニット６が装備される。背景ロールカーテンユニット６には、複数の背景カーテン７がそれぞれ巻き取られて収納される。背景カーテン７は種々の色や柄を有し、撮影時に所望の１枚が降下され、被写体の背景を形成する。
【００２５】
各撮影空間２の天板上には、各撮影空間が使用中か否かを表示する使用表示ランプ８が設けられる。対応する撮影空間２が使用中の場合、使用表示ランプ８が点灯する。
【００２６】
筐体３の側面には、撮影空間２で撮影及び作成した歌詞画等をシール紙に印刷して排出する排出口３７が設けられる。背面４１側の撮影空間２で作成された歌詞画等が印刷されるとき、印刷ＬＥＤ３２が点灯する。一方、正面３１側の撮影空間２で作成された歌詞画等が印刷されるとき、印刷ＬＥＤ３３が点灯する。印刷中になんらかのトラブルが生じた場合、印刷ＬＥＤ３４が点灯する。
【００２７】
図３に筐体３を正面３１側から見た正面図を示す。なお、筐体３の背面４１も、図３と同じ構成である。図３を参照して、筐体３の正面３１の下部には、コインを投入するためのコイン投入口３５が設けられる。正面３１側の撮影空間２を利用する場合、利用者はまず、使用表示ランプ８を見て撮影空間２が未使用であることを確認し、解放されている側面から撮影空間２に入り、コイン投入口３５にコインを投入する。コイン投入後、利用者は、筐体３の正面３１に向かって撮影操作を行う。また、歌詞画を作成したり、編集したりする。
【００２８】
筐体３の正面中央には、撮影手段としてのカメラ１０が設けられ、その下方には、カメラ１０で撮像された被写体（利用者）が表示されるライブモニタ１１が設けられる。ライブモニタ１１の下方には、撮影及び歌詞画作成用の操作モニタ１２が設けられ、カメラ１０、ライブモニタ１１及び操作モニタ１２の周りには、照明装置１４が設けられる。
【００２９】
カメラ１０は、利用者を被写体として撮影するもので、一般にデジタルカメラが用いられる。カメラ１０は複数台設けたり、移動や角度調節をできるようにしてもよい。
【００３０】
ライブモニタ１１は、カメラ１０で撮影されている映像をリアルタイムで表示する。さらに、その画面上に透明なタッチパネル１０７（図５参照）が貼り付けられており、ライブモニタ１１は、タッチパネル１０７に対する利用者の入力操作を受け付ける。
【００３１】
照明装置１４は、被写体を前方から照射する。照明装置１４はその内部に、常灯照明である蛍光灯１４２と、閃光照明（フラッシュ）であるストロボ１４１とを有する（図２参照）。ストロボ１４１は、利用者からの撮影の開始が指示され、カメラ１０が撮影している映像を静止画として取り込む瞬間に発光し、被写体を強く照明する。
【００３２】
操作モニタ１２は、撮影時の操作手順を表示したり、歌詞画を作成するための画面を表示する。さらに、その画面上には透明なタッチパネル１０６（図５参照）が貼り付けられており、操作モニタ１２は、タッチパネル１０６に対する利用者の入力操作を受け付ける。操作モニタ１２の両側には、歌詞フレーズ画像や落書き画像等をタッチパネル１０６上で選択又は入力するためのタッチペン１３が設けられる。歌詞フレーズ画像や落書き画像は、写真画像のレイヤとは別のレイヤに入力され、操作モニタ１２は、そのレイヤを写真画像のレイヤ上に重ねて表示する。
なお、操作モニタ１２は、ライブモニタ１１と同様に、カメラ１０で撮影されている映像をリアルタイムで表示してもよい。
【００３３】
自動写真撮影装置１は、図４に示すように、写真画像ＰＨＯに装飾画像ＳＡＭと歌詞フレーズ画像ＴＥＭとを合成して、合成画像（歌詞画ＩＭＧ）を作成する。また、作成した歌詞画ＩＭＧをシール紙に印刷してプリント排出口３７から排出し、利用者に提供する。
【００３４】
２．機能構成
図５を参照して、自動写真撮影装置１は、撮影処理及び歌詞画の作成処理を実行するコンピュータ装置１０１と、コンピュータ装置１０１からの指示を受けて、接続されている各種装置を制御する制御基板１０２とを備える。
【００３５】
コンピュータ装置１０１は、ＣＰＵ（Central Processing Unit）１０３と、ハードディスク（ＨＤＤ）１０４と、プログラムの一時的な作業領域となるメモリ１０５とを含む。
【００３６】
ハードディスク１０４は、本装置に歌詞画を作成するための自動写真撮影プログラムを記憶する。ハードディスク１０４はさらに、複数の装飾画像ＳＡＭと、複数の歌詞フレーズ画像ＴＥＭと、複数の歌詞テキストデータと、装飾画像データベース１２０と、歌詞フレーズ画像データベース１２１と、歌詞テキストデータベース１２２と、歌詞エリアデータベース１２３とを有する。ハードディスク１０４はさらに、後述する編集処理で利用する落書きツールが登録された落書きデータベースを記憶する。
【００３７】
装飾画像データベース１２０は、撮影人数に対応した複数の装飾画像ＳＡＭに関する情報が登録される。図６に示す通り、装飾画像データベース１２０は、複数のレコードを有する。各レコードは、撮影人数を登録するためのフィールドと、装飾画像ＳＡＭに付与された装飾画像ＩＤ（ＳＡＭ１〜）を登録するためのフィールドとを有する。
【００３８】
歌詞フレーズ画像データベース１２１は、装飾画像ＳＡＭに対応する複数の歌詞フレーズ画像ＴＥＭに関する情報が登録される。図７に示す通り、歌詞フレーズ画像データベース１２１の各レコードは、レコード番号を登録するためのフィールドと、装飾画像ＩＤ（ＳＡＭ１〜）を登録するためのフィールドと、歌詞のジャンル（たとえばＪ−ＰＯＰ、Ｊ−インディーズ、ロック等）を登録するためのフィールドと、歌手名を登録するためのフィールドと、歌詞フレーズ画像ＩＤ（ＴＥＭ１〜）を登録するためのフィールドとを有する。なお、図７には示していないが、歌詞が意図するテーマ（たとえば、友情、恋愛、夢等）を登録するためのフィールドを有してもよい。
【００３９】
歌詞テキストデータベース１２２は、図８に示す通り、複数の歌詞テキストデータに関する情報が登録される。歌詞テキストデータベース１２２の各レコードは、レコード番号を登録するためのフィールドと、歌詞のジャンルを登録するためのフィールドと、歌手名を登録するためのフィールドと、歌詞テキストデータのＩＤ（ｔｘｔ１〜）を登録するためのフィールドとを有する。
【００４０】
歌詞エリアデータベース１２３には、装飾画像ＳＡＭにおいて、歌詞フレーズを入力可能なエリア（歌詞エリア）に関する情報が登録される。図９に示す通り、歌詞エリアデータベース１２３の各レコードは、装飾画像ＩＤを登録するためのフィールドと、装飾画像ＩＤ中に指定された歌詞エリアの座標情報（歌詞エリア情報）を登録するためのフィールドとを有する。図１０に示すように、各装飾画像ＳＡＭは、歌詞フレーズ画像を加える領域である歌詞エリア３０を有する。歌詞エリア情報は、装飾画像ＳＡＭの点（ｘ０，ｙ０）を基準とした歌詞エリア３０の座標に関する情報である。
【００４１】
これらのデータベース１２０〜１２３は、歌詞画ＩＭＧを作成するときに利用される。
【００４２】
再び図５を参照して、コンピュータ装置１０１は、プログラム実行や、タッチパネル１０６及び１０７から受信した利用者の入力操作に従った指示信号に基づいて、制御基板１０２に対して制御信号を送信する。コンピュータ装置１０１は、カメラ１０、ライブモニタ１１、操作モニタ１２、プリンタ５５、制御基板１０２と接続され、それらを制御する。
【００４３】
プリンタ５５は、歌詞画等の合成画像をシール紙等の印刷媒体に印刷する。本実施の形態のプリンタ５５は、合成画像をシール紙に印刷するが、印刷媒体はシール紙に限定されることなく、他の印刷媒体でもよい。
【００４４】
タッチパネル１０６は、操作モニタ１２の上に積層される。タッチパネル１０６は、利用者の指やタッチペン１３等の接触を検知し、それに応じた指示信号をコンピュータ装置１０１に送信する。操作モニタ１２は、コンピュータ装置１０１から送信された画像、具体的には、撮影のための案内及び選択肢を表示したり、歌詞画ＩＭＧを作成するための画面を表示したりする。
【００４５】
タッチパネル１０７は、ライブモニタ１１の上に積層される。タッチパネル１０７は、利用者の指等の接触を検知し、それに応じた指示信号をコンピュータ装置１０１に送信する。ライブモニタ１１は、カメラ１０で撮像された被写体や、歌詞テキストを表示する。
【００４６】
制御基板１０２は、コンピュータ装置１０１の他に、ストロボ制御部１４０、ストロボ１４１、蛍光灯１４２、印刷ＬＥＤ３２〜３４、コイン制御部３６、音声制御部１０８及びスピーカ１０９に接続される。
【００４７】
ストロボ制御部１４０は、カメラ１０に接続され、カメラ１０のシャッタタイミングに応じて発光するようストロボ１４１を制御する。音声制御部１０８は、制御基板１０２を介してコンピュータ装置１０１に接続される。スピーカ１０９は、各撮影空間２に配備され、コンピュータ装置１０１から制御基板１０２を介して与えられる指示信号に基づいて、撮影のための操作方法などの案内やＢＧＭなどを出力する。また、歌詞画作成のための操作方法などの案内やＢＧＭなどを出力する。
【００４８】
３．動作
上述した自動写真撮影装置１の動作を説明する。自動写真撮影装置１のＣＰＵ１０３は、ハードディスク１０４に記憶された自動写真撮影プログラムをメモリ１０５に読出して実行することにより、以下の動作を実現する。
【００４９】
図１１を参照して、ＣＰＵ１０３は、自動写真撮影装置１の利用を促すタイトルデモ画面を操作モニタ１２に表示し（Ｓ１）、その間にコイン制御部３６においてコインの投入を監視する（Ｓ２）。タイトルデモ画面の表示中に所定枚数のコインが投入されると（Ｓ２でＹＥＳ）、ＣＰＵ１０３は図１２に示すコース選択画面を操作モニタ１２に表示し、利用者にコースの選択を促す（Ｓ３）。コース選択画面には、「ノーマルコース」ボタン２０１と、「歌詞画コース」ボタン２０２とが表示される。利用者は、画面左上に表示される制限時間が「０」になる前に、利用者の指又はタッチペン１３でいずれかのボタンにタッチし、コースを選択する。
【００５０】
選択したボタンが「歌詞画コース」ボタン２０２である場合、ＣＰＵ１０３は歌詞画作成処理を実行し（Ｓ４）、歌詞画ＩＭＧを作成する。一方、選択したボタンが「ノーマルコース」ボタン２０１である場合、ＣＰＵ１０３は通常画作成処理を実行する（Ｓ５）。通常画作成処理では、周知の自動写真撮影装置と同様に、写真画像に落書き画像等を加えて写真画像を編集する。歌詞画作成処理及び通常画作成処理については後述する。
【００５１】
ステップＳ４又はＳ５により作成された１又は複数の歌詞画又は編集した写真画像は、操作モニタ１２に並べて表示される（Ｓ６）。利用者はモニタに表示された歌詞画等から、印刷したい画像を選択する。ＣＰＵ１０３は、利用者の選択に基づいて、印刷すべき画像を確定する（Ｓ７）。
【００５２】
印刷すべき画像を確定後、ＣＰＵ１０３は、利用者の操作に応じて印刷レイアウトを選択し（Ｓ８）、選択された印刷レイアウトを適用し、歌詞画等をプリンタ５５で印刷する（Ｓ９）。歌詞画等を印刷したシール紙は、プリント排出口３７から利用者に提供される。
【００５３】
３−１．歌詞画作成処理
次に、図１１に示した歌詞画作成処理（Ｓ４）の詳細を説明する。
【００５４】
図１３を参照して、歌詞画作成処理では、撮影前に、写真画像ＰＨＯに合成するレイアウト画像Ｐ１を予め作成する（仮レイアウト設定処理）。レイアウト画像Ｐ１とは、装飾画像ＳＡＭに歌詞フレーズ画像ＴＥＭを合成した画像である。
【００５５】
続いて、カメラ１０により利用者を撮影し、写真画像ＰＨＯを取得し、レイアウト画像Ｐ１に写真画像ＰＨＯを合成して歌詞画Ｐ２を作成する。利用者は、歌詞画Ｐ２を見て、歌詞画Ｐ２中の歌詞テキスト画像及び装飾画像の色や形状等を好みに合わせて適宜編集し、歌詞画ＩＭＧを完成させる（最終レイアウト設定処理）。
【００５６】
利用者は撮影前にレイアウト画像Ｐ１を作成することにより、完成後の歌詞画ＩＭＧのイメージを撮影前にある程度固めることができる。そのため、撮影時の利用者のポーズや表情を、より歌詞画ＩＭＧのイメージに合わせることができる。このように、撮影前に予めレイアウト画像Ｐ１を作成することにより、完成後の歌詞画を利用者のイメージに可能な限り近づけることができる。
【００５７】
次に、歌詞画作成処理の具体的な動作を説明する。
【００５８】
図１４を参照して、まず、ＣＰＵ１０３は、カメラ１０が撮影する利用者の映像をライブモニタ１１又は操作モニタ１２にリアルタイムに表示する（Ｓ４１）。続いて、ＣＰＵ１０３は、仮レイアウト設定処理を実行する（Ｓ４２）。仮レイアウト設定処理によりレイアウト画像Ｐ１を作成後、ＣＰＵ１０３は作成したレイアウト画像Ｐ１をライブモニタ１１に表示する。利用者はレイアウト画像Ｐ１が表示されたライブモニタ１１を見ながら、撮影時の立ち位置、ポーズ及び顔の表情を決め、ＣＰＵ１０３に撮影を指示する。具体的には、利用者は、操作モニタ１２に表示される撮影ボタンを指でタッチしたり、筐体３の正面３１又は背面４１に設けられた撮影ボタンを押したりして、撮影を指示する。所定時間が経過することにより、自動的にＣＰＵ１０３に撮影が指示されてもよい。ＣＰＵ１０３は指示に応じて利用者を撮影し、写真画像ＰＨＯを作成する（Ｓ４３）。作成された写真画像ＰＨＯはメモリ１０５に格納される。
【００５９】
続いて、ＣＰＵ１０３は、レイアウト画像Ｐ１を写真画像ＰＨＯに合成して歌詞画Ｐ２を作成する（Ｓ４４）。作成された歌詞画Ｐ２はメモリ１０５に格納される。
【００６０】
歌詞画Ｐ２を作成後、最終レイアウト設定処理を実行し、歌詞画Ｐ２を編集等することにより、歌詞画ＩＭＧを完成させる（Ｓ４５）。
【００６１】
歌詞画ＩＭＧを完成させた後、ＣＰＵ１０３は所定数の歌詞画ＩＭＧが作成されたか否かを判断する（Ｓ４６）。歌詞画ＩＭＧの数が所定数未満である場合（Ｓ４６でＮＯ）、制限時間が経過したか否かを判断する（Ｓ４７）。制限時間が経過していない場合（Ｓ４７でＮＯ）、再びステップＳ４２に戻って新たな歌詞画ＩＭＧを作成する。
【００６２】
一方、歌詞画ＩＭＧの数が所定数である場合（Ｓ４６でＹＥＳ）、又は制限時間が経過している場合（Ｓ４７でＹＥＳ）、歌詞画作成処理を終了し、図１１のステップＳ６に進む。
【００６３】
３−２．仮レイアウト設定処理
次に、図１４中のステップＳ４２の仮レイアウト設定処理について説明する。図１５を参照して、ＣＰＵ１０３はまず、操作モニタ１２に複数の装飾画像ＳＡＭを表示し、利用者が作成したいイメージに近い装飾画像ＳＡＭを、利用者の操作に応じて選択する（Ｓ４１０：装飾画像選択処理）。続いて、ＣＰＵ１０３は、利用者の操作に応じて歌詞フレーズ画像ＴＥＭを設定する（Ｓ４１５：歌詞フレーズ画像設定処理）。設定した歌詞フレーズ画像ＴＥＭを装飾画像ＳＡＭに合成してレイアウト画像Ｐ１を作成する（Ｓ４２７）。以下、詳細を説明する。
【００６４】
３−２−１．装飾画像選択処理
初めに、ＣＰＵ１０３は、装飾画像選択処理を実行する（Ｓ４１０）。ＣＰＵ１０３は、図１６に示すように、操作モニタ１２に複数の装飾画像ＳＡＭを表示する（Ｓ４２１）。このとき、各装飾画像ＳＡＭは、モデルを被写体とした写真画像ＰＨＯと、装飾画像ＳＡＭ内で指定された歌詞エリアに対応した適当な歌詞フレーズ画像ＴＥＭとを重ねて表示される。要するに、装飾画像ＳＡＭは、歌詞画見本として表示される。なお、装飾画像ＳＡＭは、写真画像ＰＨＯや歌詞フレーズ画像ＴＥＭを重ねずに、単独で表示されてもよい。
【００６５】
図１６を参照して、装飾画像選択画面は、歌詞画見本として装飾画像ＳＡＭを表示する見本表示エリア２００と、利用者が選択した装飾画像ＳＡＭを表示する特定エリア２１０とを有する。特定エリア２１０に表示される装飾画像ＳＡＭも適当な写真画像ＰＨＯと歌詞フレーズ画像ＴＥＭとを重ねて表示される。利用者が、その装飾画像ＳＡＭを用いた場合の歌詞画ＩＭＧをイメージしやすくするためである。
【００６６】
見本表示エリア２００の下方には、撮影人数を設定するための撮影人数コンボボックス２２０が設けられている。
【００６７】
利用者は、撮影人数コンボボックス２２０から、撮影人数（たとえば２人）を選択する。ＣＰＵ１０３は、図６に示した装飾画像データベース１２０を参照し、選択された撮影人数（２人）に対応した装飾画像ＳＡＭ１１〜ＳＡＭ１６を取得し、適当な写真画像ＰＨＯ及び歌詞フレーズ画像ＴＥＭを付与したのち、見本表示エリア２００に表示する。
【００６８】
利用者は見本表示エリア２００に表示された装飾画像ＳＡＭ１１〜ＳＡＭ１６を見て、所望の装飾画像（たとえば装飾画像ＳＡＭ１１）を選択する。利用者が所望の装飾画像ＳＡＭ１１を操作モニタ１２上でタッチすると、ＣＰＵ１０３は、装飾画像ＳＡＭ１１を、写真画像ＰＨＯ及び歌詞フレーズ画像ＴＥＭとともに、特定エリア２１０に表示する。利用者がＯＫボタン２０６をタッチすることにより、ＣＰＵ１０３は装飾画像ＳＡＭ１１を選択し、選択した装飾画像ＳＡＭ１１をメモリ１０５に格納する（Ｓ４２２）。
【００６９】
３−２−２．歌詞フレーズ画像設定処理
続いて、ＣＰＵ１０３は、歌詞フレーズ画像設定処理を実行する（Ｓ４１５）。
【００７０】
歌詞フレーズ画像設定処理では、利用者の操作に応じて歌詞フレーズ画像ＴＥＭが設定されるが、ＣＰＵ１０３は、利用者の歌詞画ＩＭＧの作成経験や自動写真撮影装置１の操作の習熟度に応じて、３通りの設定方法を提供する。具体的には、初級者向けとして、予め用意された歌詞フレーズ画像ＴＥＭを利用する方法と、中級者向けとして、歌詞テキストデータを利用して歌詞フレーズ画像ＴＥＭを作成する方法と、上級者向けとして、利用者がタッチペン１３を用いて歌詞フレーズを手入力して歌詞フレーズ画像ＴＥＭを作成する方法とを提供する。利用者は、自身のレベルに応じて、いずれかの入力方法を選択することができる。以下、それぞれの方法について説明する。
【００７１】
［既存の歌詞フレーズ画像を利用する方法］
ＣＰＵ１０３は、歌詞フレーズ画像ＴＥＭを作成するか否かを判断する（Ｓ４２３）。ＣＰＵ１０３は、図１７に示す画面を操作モニタ１２に表示する。利用者は、歌詞フレーズ画像ＴＥＭを作成せず、既存の歌詞フレーズ画像ＴＥＭを利用する場合、ＮＯボタン２０５をタッチする。このとき、ＣＰＵ１０３は、歌詞フレーズ画像ＴＥＭを作成しないと判断する（Ｓ４２３でＮＯ）。
【００７２】
このとき、ＣＰＵ１０３は、図１８に示すように、ステップＳ４２２で選択した装飾画像ＳＡＭ１１の歌詞エリアに対応した複数の歌詞フレーズ画像ＴＥＭ１１〜ＴＥＭ１６を操作モニタ１２に表示する（Ｓ４２４）。具体的には、ＣＰＵ１０３は、選択された装飾画像ＳＡＭ１１に対応した歌詞フレーズ画像ＴＥＭを、図７に示す歌詞フレーズ画像データベース１２１から特定する。特定した歌詞フレーズ画像ＴＥＭが複数のジャンル及び／又は歌手名に渡る場合、ＣＰＵ１０３は、装飾画像ＳＡＭ１１に対応した複数の歌詞フレーズ画像ＴＥＭのうち、最小のレコード番号のレコードに登録された複数の歌詞フレーズ画像（たとえばＴＥＭ１１〜ＴＥＭ１６）を選択し、画面中の見本表示エリア２００に表示する。
【００７３】
利用者は、表示された歌詞フレーズ画像ＴＥＭ１１〜ＴＥＭ１６の中から所望の歌詞フレーズ画像ＴＥＭを選択する（Ｓ４２５）。気に入った歌詞フレーズ画像ＴＥＭがない場合、見本表示エリア２００の下方のジャンルコンボボックス２２１及び／又は歌手名コンボボックス２２２から所望のジャンル及び／又は歌手名を選択する。ＣＰＵ１０３は、選択されたジャンル及び／又は歌手名に対応する歌詞フレーズ画像ＴＥＭを歌詞フレーズ画像データベース１２１に基づいて特定し、特定した歌詞フレーズ画像ＴＥＭを見本表示エリア２００に表示する。
【００７４】
気に入った歌詞フレーズ画像ＴＥＭがある場合（たとえばＴＥＭ１１）、利用者はその歌詞フレーズ画像ＴＥＭ１１をタッチする。この利用者の操作に基づいて、ＣＰＵ１０３は歌詞フレーズ画像ＴＥＭ１１を選択し、メモリ１０５に記憶する（Ｓ４２５）。
【００７５】
続いて、ＣＰＵ１０３は、特定した歌詞フレーズ画像ＴＥＭ１１を選択した装飾画像ＳＡＭ１１に合成し、レイアウト画像Ｐ１を作成する(Ｓ４２７)。ＣＰＵ１０３は、図１９に示すように、レイアウト画像Ｐ１を、特定エリア２１０に表示する（Ｓ４２８）。
【００７６】
利用者は、特定エリア２１０に表示されたレイアウト画像Ｐ１が気に入らなければ、再び見本表示エリア２００から所望の歌詞フレーズ画像ＴＥＭを選択する。このとき、新たなレイアウト画像Ｐ１が作成され、特定エリア２１０に表示される。表示されたレイアウト画像Ｐ１を気に入った場合、利用者は、画面内のＯＫボタン２０６をタッチする。このとき、ＣＰＵ１０３は、レイアウト画像Ｐ１をメモリ１０５に保存する（Ｓ４２９）。
なお、図２０に示すように、複数の装飾画像ＳＡＭと、複数の歌詞フレーズ画像ＴＥＭとを操作モニタ１２上に並べて表示してもよい。この場合、利用者は、複数の装飾画像ＳＡＭと複数の歌詞フレーズ画像ＴＥＭとを見ながら、好みの装飾画像ＳＡＭ及び歌詞フレーズ画像ＴＥＭを選択できる。選択された装飾画像ＳＡＭ及び歌詞フレーズ画像ＴＥＭは、特定エリア２１０に重ねて表示される。このように、複数の装飾画像ＳＡＭとともに複数の歌詞フレーズ画像ＴＥＭを表示することにより、装飾画像ＳＡＭと歌詞フレーズ画像ＴＥＭとのイメージを合わせやすく、利用者は、短い時間で好みの装飾画像ＳＡＭ及び歌詞フレーズ画像ＴＥＭを選択できる。
【００７７】
以上のように、装飾画像ＳＡＭを選択することにより、選択した装飾画像が有する歌詞エリアに対応した既存の歌詞フレーズ画像ＴＥＭを選択できる。利用者は、既存の歌詞フレーズ画像の中から、好みの歌詞フレーズ画像ＴＥＭを選ぶだけで、レイアウト画像Ｐ１を作成でき、歌詞画ＩＭＧを作成できる。この方法は、自動写真撮影装置１の利用経験が浅い、いわば初心者に適した方法である。
【００７８】
［歌詞テキストデータを利用する方法］
利用者が既存の歌詞フレーズ画像ＴＥＭを利用せず、新たな歌詞フレーズ画像ＴＥＭを作成する場合、利用者は、図１７中のＹＥＳボタン２０４をタッチする。この利用者の操作に基づいて、ＣＰＵ１０３は、新たな歌詞フレーズ画像ＴＥＭを作成すると判断する（Ｓ４２３でＹＥＳ）。
【００７９】
ＣＰＵ１０３は、図８に示す歌詞テキストデータベース１２２に基づいて、複数の歌詞テキストのうち、最小のレコード番号のレコードに登録された歌詞テキスト（たとえばレコード番号１のレコードに登録された歌詞テキストｔｘｔ１〜ｔｘｔ６）を選択し、選択した歌詞テキストｔｘｔ１〜ｔｘｔ６を、図２１に示すように操作モニタ１２画面上の見本表示エリア２００に表示する（Ｓ４３０）。各歌詞テキストｔｘｔ１〜ｔｘｔ６の表示エリアが小さい場合、各歌詞テキストｔｘｔのサビのフレーズのみ表示する。
【００８０】
利用者は、見本表示エリア２００を見て、好みの歌詞テキストｔｘｔを選択する。気に入った歌詞テキストｔｘｔがない場合、見本表示エリア２００の下方のジャンルコンボボックス２２１及び／又は歌手名コンボボックス２２２から所望のジャンル及び／又は歌手名を選択する。ＣＰＵ１０３は、選択されたジャンル及び／又は歌手名に対応する歌詞テキストｔｘｔを歌詞テキストデータベース１２２に基づいて特定し、見本表示エリア２００に表示する。
【００８１】
気に入った歌詞テキストｔｘｔがある場合（たとえば歌詞テキストｔｘｔ１）、利用者はその歌詞テキストｔｘｔ１が表示されているエリアをタッチする。このとき、ＣＰＵ１０３は歌詞テキストｔｘｔ１を選択し、図２２に示すように、歌詞テキストｔｘｔ１のみを見本表示エリア２００に表示する（Ｓ４３１）。
【００８２】
続いて、ＣＰＵ１０３は、歌詞フレーズを手入力するか否かを判断する（Ｓ４３２）。ここで、手入力とは、タッチペン１３又は利用者の指で、タッチパネル１０６上に歌詞フレーズを書き込むことをいう。
【００８３】
図２２の見本表示エリア２００には、手入力ボタン２２３が設けられる。手入力したい場合、利用者は手入力ボタン２２３をタッチする。手入力については後述する。
【００８４】
利用者が手入力しない場合、利用者は、図２２の見本表示エリア２００の歌詞テキストｔｘｔ１を見て、使いたい歌詞フレーズを選択する。利用者は、たとえば、タッチペン１３を用いて、使いたい歌詞フレーズを括弧２２４で囲んだり、使いたい歌詞フレーズに下線を引いたりして、歌詞テキストｔｘｔ１中の任意の歌詞フレーズを選択する。利用者が歌詞フレーズを選択したとき、利用者の操作に基づいてＣＰＵ１０３は、手入力を実行しないと判断し（Ｓ４３２でＮＯ）、さらに利用者により選択された歌詞フレーズを特定し、メモリ１０５に記憶する（Ｓ４３３）。
【００８５】
続いて、ＣＰＵ１０３は、歌詞フレーズ画像ＴＥＭを作成する（Ｓ４５０：歌詞フレーズ画像作成処理）。以下、歌詞フレーズ画像作成処理について説明する。
【００８６】
図２３を参照して、ＣＰＵ１０３は、歌詞エリアデータベース１２３に基づいて、ステップＳ４２５で選択された装飾画像ＳＡＭ１１に対応した歌詞エリア情報を取得する（Ｓ４５１）。続いて、ステップＳ４３３で選択した歌詞フレーズの文字数をカウントする（Ｓ４５２）。ＣＰＵ１０３は、取得した歌詞エリア情報と、カウントした文字数とに基づいて、歌詞フレーズの文字サイズを算出する（Ｓ４５３）。具体的には、歌詞エリア情報から歌詞エリアのサイズ（面積）を算出し、歌詞エリア全体に渡って歌詞フレーズの文字を均等に配置する場合の適切な文字サイズを算出する。
【００８７】
ＣＰＵ１０３は、歌詞フレーズと、歌詞エリア情報と、算出した文字サイズとに基づいて、歌詞フレーズ画像ＴＥＭを作成する（Ｓ４５４）。このとき、ＣＰＵ１０３は、装飾画像ＳＡＭ１１と同じサイズであり、色画素が全く存在しない画素プレーンを準備する。続いて、Ｓ４５１で取得した歌詞エリア情報に基づいて、その画素プレーン内での歌詞エリアを特定する。特定した歌詞エリア内にステップＳ４５３で算出した文字サイズの歌詞フレーズを挿入し、歌詞フレーズ画像ＴＥＭを完成する。作成した歌詞フレーズ画像ＴＥＭは、メモリ１０５に記憶される。
【００８８】
図１５に戻って、歌詞フレーズ画像ＴＥＭを作成後、作成した歌詞フレーズ画像ＴＥＭを装飾画像ＳＡＭ１１に合成してレイアウト画像Ｐ１を作成し（Ｓ４２７）、図２４に示すように操作モニタ１２に表示する（Ｓ４２８）。利用者がＯＫボタン２０６をタッチしたとき、ＣＰＵ１０３は、作成したレイアウト画像Ｐ１をメモリ１０５に記憶する（Ｓ４２９）。
【００８９】
この方法により歌詞フレーズ画像ＴＥＭを作成すれば、利用者が好みの歌詞フレーズを選択でき、オリジナルの歌詞フレーズ画像ＴＥＭを作成できる。そのため、既存の歌詞フレーズ画像ＴＥＭを利用する方法よりも、オリジナリティの高い歌詞画を作成できる。
【００９０】
なお、利用者が携帯端末等に予め記録した、利用者のオリジナル歌詞や詩のテキストデータを自動写真撮影装置１に登録し、その歌詞又は詩を歌詞テキストｔｘｔとして操作モニタ１２に表示させることもできる。この場合、たとえば、利用者は、携帯端末に保存された歌詞テキストデータを赤外線通信等により自動写真撮影装置１に転送する。自動写真撮影装置１は受信した歌詞テキストデータを見本表示エリア２００に表示する。
【００９１】
また、歌詞テキストｔｘｔを選択したとき、選択した歌詞テキストの曲をＢＧＭとしてスピーカ１０９から流してもよい。
【００９２】
また、文字サイズの算出時、算出した文字サイズが所定のサイズよりも小さくなる場合、歌詞フレーズ内の文字数を減らすよう注意を促す旨の通知をしてもよいし、所定数以上の文字数を選択できないようにしてもよい。印刷時に歌詞フレーズの文字が小さくて見づらくなる場合もあり得るからである。
【００９３】
［手入力を利用する方法］
自動写真撮影装置１の利用頻度が高く、操作手順に慣れた利用者の中には、よりオリジナリティの高い歌詞画を作成したい者もいる。このような上級者は、手入力により歌詞フレーズを書き込んだ歌詞フレーズ画像ＴＥＭを作成することができる。
【００９４】
図１５を参照して、ステップＳ４２１〜Ｓ４３２までの動作は、上述の歌詞テキストデータを利用する方法の場合と同じである。
【００９５】
ステップＳ４３２で利用者が手入力を希望する場合、図２２の手入力ボタン２２３をタッチする。この利用者の操作に基づいて、ＣＰＵ１０３は、手入力を実行すると判断する（Ｓ４３２でＹＥＳ）。
【００９６】
このとき、ＣＰＵ１０３は、図２５に示すように、操作モニタ１２上の特定エリア２１０を中央に拡大して配置し、装飾画像ＳＡＭ１１を拡大して表示する。また、特定エリア２１０の隣に、利用者が装飾画像ＳＡＭ１１上に落書きするための落書きツール３００及び各落書きツール３００に対応したテンプレート３０１が設けられる。さらに、選択した歌詞テキストｔｘｔ１をライブモニタ１１に表示する（Ｓ４３４）。
利用者は、ライブモニタ１１上のスクロールバー２２５を指やタッチペン１３でタッチしながら、歌詞テキストｔｘｔ１中の好みの歌詞フレーズを探す。好みの歌詞フレーズがライブモニタ１１に表示されるようにスクロールバー２２５を調整した後、利用者は、その歌詞フレーズをライブモニタ１１で見ながら、タッチペン１３又は自分の指を用いて、操作モニタ１２に表示された装飾画像ＳＡＭ１１上に歌詞フレーズを書き込む。たとえば、落書きツール３００で「ペン」を選択した場合、ペンのテンプレート３０１が表示される。利用者は、表示されたペンのテンプレート３０１から所望のペンを選択後、タッチペン１３や指により歌詞フレーズを書き込む。この利用者の操作に基づいて、ＣＰＵ１０３は、歌詞フレーズ画像ＴＥＭを作成する（Ｓ４３５）。具体的には、ＣＰＵ１０３は、入力された歌詞フレーズを、ただちに装飾画像ＳＡＭ１１に合成するのではなく、歌詞フレーズ画像ＴＥＭとしてメモリ１０５に記憶する。ＣＰＵ１０３は、装飾画像ＳＡＭ１１の上に歌詞フレーズ画像ＴＥＭを重ねて操作モニタ１２に表示する。
なお、歌詞フレーズを書き込むだけでなく、落書きツール３００を用いて装飾画像ＳＡＭに落書き画像を加えてもよい。これにより、オリジナリティの高いレイアウト画像Ｐ１を作成できる。
【００９７】
利用者が図２５に示す画面中のＯＫボタン２０６をタッチすることにより、ＣＰＵ１０３は、手入力が完了したと判断する。このとき、ＣＰＵ１０３は、歌詞フレーズ画像ＴＥＭを装飾画像ＳＡＭに合成してレイアウト画像Ｐ１を作成し（Ｓ４２７）、メモリ１５に格納する（Ｓ４２９）。
【００９８】
以上の動作により、歌詞フレーズを手入力することができるので、上級者は、歌詞フレーズを自分のオリジナルのタイプフェイス（手書き文字）で書き込むことができる。そのため、よりオリジナリティの高い歌詞画ＩＭＧを作ることができる。
【００９９】
また、歌詞フレーズを手入力するとき、ライブモニタ１１に歌詞テキストｔｘｔを表示させることができる。そのため、利用者は、ライブモニタ１１に表示された歌詞テキストｔｘｔを見ながら、操作モニタ１２に歌詞フレーズを書き込むことができる。
【０１００】
以上のように、撮影前にレイアウト画像Ｐ１を作成することにより、完成後の歌詞画のイメージを固めることができる。そのため、利用者は、撮影時の利用者のポーズや表情を、レイアウト画像Ｐ１のイメージと合わせることができる。また、利用者の自動写真撮影装置１の利用経験、操作習熟度に応じて、歌詞フレーズ画像ＴＥＭの作成方法を選択できる。そのため、初級者は既存の歌詞フレーズ画像を利用することにより、容易にレイアウト画像Ｐ１を作成できるし、中級者及び上級者は、歌詞テキストデータを利用したり、手入力を利用したりすることにより、よりオリジナリティの高いレイアウト画像Ｐ１を作成できる。
【０１０１】
なお、仮レイアウト設定処理を実行している間、操作モニタ１２の画面中の特定エリア２１０にカメラ１０で撮影された利用者の映像を重ねて表示してもよい。この場合、利用者は、より歌詞画ＩＭＧの完成イメージを固めながら、レイアウト画像Ｐ１を作成できる。
【０１０２】
３−３．最終レイアウト設定処理
再び図１４を参照して、仮レイアウト設定処理によりレイアウト画像Ｐ１を作成し（Ｓ４２）、利用者がレイアウト画像Ｐ１のイメージにポーズや表情を合わせた後、カメラ１０で利用者を撮影して写真画像ＰＨＯを取得し（Ｓ４３）、これらを合成して歌詞画Ｐ２を作成する（Ｓ４４）。歌詞画Ｐ２を作成後、ＣＰＵ１０３は、最終レイアウト設定処理を実行する（Ｓ４５）。
【０１０３】
最終レイアウト設定処理では、歌詞画Ｐ２中の歌詞フレーズ画像ＴＥＭを好みに合わせて新たな歌詞フレーズ画像ＴＥＭと適宜差し換えたり、歌詞画Ｐ２を編集したりして、歌詞画ＩＭＧを完成させる。
【０１０４】
図２６を参照して、ＣＰＵ１０３は、利用者が歌詞画Ｐ２を変更するか否かを判断する（Ｓ６０１）。利用者が歌詞画Ｐ２を変更せず、そのまま完成品（歌詞画ＩＭＧ）とする場合、利用者の指示に応じてＣＰＵ１０３は、歌詞画Ｐ２を変更しないと判断し（Ｓ６０１でＮＯ）、ステップＳ６０７に進む。
【０１０５】
一方、利用者の指示に応じて、ＣＰＵ１０３が歌詞画Ｐ２を変更すると判断した場合（Ｓ６０１でＹＥＳ）、ＣＰＵ１０３は、歌詞画Ｐ２中の歌詞フレーズ画像ＴＥＭを変更するか否かを判断する（Ｓ６０２）。利用者の指示に応じて、ＣＰＵ１０３が歌詞フレーズ画像ＴＥＭを変更すると判断した場合（Ｓ６０２でＹＥＳ）、ＣＰＵ１０３は歌詞フレーズ画像設定処理を実行する（Ｓ４１５）。ステップＳ４１５の動作は仮レイアウト設定処理における動作と同じである。
【０１０６】
ＣＰＵ１０３は、新たに設定した歌詞フレーズ画像ＴＥＭを、既存の歌詞フレーズ画像ＴＥＭと差し替えて歌詞画Ｐ２を更新する（Ｓ６０３）。更新された歌詞画Ｐ２は操作モニタ１２に表示され（Ｓ６０４）。メモリ１０５に記憶される（Ｓ６０５）。
【０１０７】
歌詞画Ｐ２の歌詞フレーズ画像ＴＥＭを変更しない場合（Ｓ６０２でＮＯ）、又は新たな歌詞フレーズ画像ＴＥＭを差し替えた後（Ｓ６０３）、ＣＰＵ１０３は、編集処理を実行するか否かを判断する（Ｓ６０６）。以下、編集処理について説明する。
【０１０８】
［編集処理］
利用者は、歌詞画Ｐ２を編集したい場合がある。たとえば、装飾の色を変えたい場合や、歌詞フレーズのタイプフェイス（文字デザイン）を変えたい場合がある。
【０１０９】
ステップＳ６０６で、ＣＰＵ１０３は、図２７の画面を操作モニタ１２に表示する。利用者は特定エリア２１０に表示された歌詞画Ｐ２を見て、編集するか否か判断する。編集しない場合、利用者はＮＯボタン２０８をタッチする。ＣＰＵ１０３はこの操作を受け、編集処理が指示されなかったと判断し（Ｓ６０６でＮＯ）、ステップＳ６０７に進む。編集する場合、利用者はＹＥＳボタン２０７をタッチする。この利用者の操作に基づいて、ＣＰＵ１０３は、編集処理が指示されたと判断し（Ｓ６０６でＹＥＳ）、編集処理を実行する（Ｓ６５０）。
【０１１０】
編集処理時、図２８に示すように、操作モニタ１２には、複数の落書きツール３００（スタンプ、ペン、タイプフェイス等）が設けられる。図２８及び図２９を参照して、利用者が所望の落書きツール（たとえばペン）を選択したとき（Ｓ５０１でＹＥＳ）、ＣＰＵ１０３は、ペンのテンプレート３０１を表示する（Ｓ５０２）。利用者が、表示されたテンプレートから所望のペンを選択すると、ＣＰＵ１０３は、ハードディスク１０４に記憶された落書きデータベースから該当するペンを取得する（Ｓ５０３）。利用者がタッチペン１３を利用して歌詞画Ｐ２に図形等を描くと、ＣＰＵ１０３はその図形を歌詞画Ｐ２に合成する（Ｓ５０４）。
【０１１１】
また、利用者が、落書きツール３００のうち、文字デザイン（タイプフェイス）を選択したとき（Ｓ５０５）、ＣＰＵ１０３は、文字デザインのテンプレート３０１を表示する（Ｓ５０６）。利用者が所望のタイプフェイスを選択すると、ＣＰＵ１０３は、ハードディスク１０４に記憶された落書きデータベースから該当するタイプフェイスを取得する（Ｓ５０７）。利用者がタッチペン１３を利用して、歌詞画Ｐ２内の歌詞フレーズの一部をタッチすると、ＣＰＵ１０３は、歌詞画Ｐ２内の歌詞フレーズ画像ＴＥＭを特定し、歌詞フレーズ画像ＴＥＭのタイプフェイスをステップＳ５０７で取得したタイプフェイスに変更する（Ｓ５０８）。
【０１１２】
利用者が編集完了するためのおしまいボタン３０２をタッチしたとき（Ｓ５０９でＹＥＳ）、編集した歌詞画Ｐ２を完成した歌詞画ＩＭＧとしてメモリ１０５に記憶し（Ｓ５１０）、編集処理を終了する。
【０１１３】
以上の動作により、歌詞画Ｐ２を編集することができる。そのため、利用者は、編集処理を実行することにより、オリジナリティの高い歌詞画ＩＭＧを作成できる。
【０１１４】
図２６に戻って、歌詞画Ｐ２の編集等を終了して歌詞画ＩＭＧを完成した後、ＣＰＵ１０３は、歌詞画ＩＭＧを歌詞画見本としてハードディスク１０４に登録するか否かを判断する（Ｓ６０７）。具体的には、ＣＰＵ１０３は、操作モニタ１２に、歌詞画ＩＭＧを登録してよいか否かの選択ボタンを表示する。
【０１１５】
利用者が、作成した歌詞画ＩＭＧを登録しない場合（Ｓ６０７でＮＯ）、最終レイアウト設定処理は終了する。
【０１１６】
一方、利用者が自分が作成した歌詞画ＩＭＧを見本として他の利用者が参照してもよいと判断した場合、画面上の登録する旨の選択ボタンにタッチする。この操作に基づいて、ＣＰＵ１０３は、歌詞画ＩＭＧを登録すると判断する（Ｓ６０７でＹＥＳ）。
【０１１７】
このとき、ＣＰＵ１０３は、歌詞画ＩＭＧをハードディスク１０４に記憶する（Ｓ６０８）。記憶された歌詞画ＩＭＧは、仮レイアウト設定処理における装飾画像選択処理等において操作モニタ１２に表示され、他の利用者に参照される。
【０１１８】
これにより、自分が作成した歌詞画を作品として他の利用者に参照してもらうこともできる。歌詞画ＩＭＧを登録後、ＣＰＵ１０３は、最終レイアウト設定処理を終了する。
【０１１９】
以上の動作により、利用者は、歌詞画Ｐ２を修正して、歌詞画ＩＭＧを完成させることができる。そのため、仮レイアウト設定処理により予め設定したレイアウト画像Ｐ１のイメージと、撮影により取得した写真画像ＰＨＯのイメージとが合わない場合、修正することができる。そのため、利用者のイメージにより近い歌詞画ＩＭＧを完成させることができる。
【０１２０】
なお、編集処理（Ｓ６５０）では、歌詞画Ｐ２中の被写体の輪郭を自動的に認識して、被写体の輪郭にふちを自動的に設けるようにしてもよい。
【０１２１】
また、利用者が、タッチペン１３等で歌詞フレーズを書き込む領域を囲むことにより歌詞エリアを再設定し、再設定された歌詞エリアと歌詞フレーズの文字数とに基づいて文字サイズを再算出して、歌詞フレーズ画像を作成し直してもよい。この場合、利用者の好みの場所に歌詞フレーズを配置できる。
【０１２２】
３−４．通常画作成処理（Ｓ５）
次に、図１１に示した通常画作成処理（Ｓ５）の詳細を説明する。
通常画作成処理では、従来の自動写真撮影装置と同様に、初めに撮影処理を実行し、その後、編集処理を実行する。
【０１２３】
図３０を参照して、まず、ＣＰＵ１０３は、カメラ１０が撮影する利用者の映像をライブモニタ１１に表示する（Ｓ５１）。続いて、ＣＰＵ１０３は、操作モニタ１２に写真画像の背景となる背景カーテン７の選択画面を表示する。利用者の選択に応じて、ＣＰＵ１０３は、背景カーテン７を選択し、選択した背景カーテン７を降下する（Ｓ５２）。背景カーテン７を降下後、撮影処理を実行し、利用者を撮影して写真画像を取得する（Ｓ５３）。写真画像が所定回数に達したとき（Ｓ５４でＹＥＳ）、又は、制限時間が経過したとき（Ｓ５５でＹＥＳ）、ＣＰＵ１０３は撮影処理を終了し、編集処理を実施する（Ｓ５６）。編集処理の動作は、図２９のステップＳ５０１〜５０４と同様であり、要するに、落書きツールを用いて写真画像上に落書きし、落書きした線図等を写真画像と合成する。
【０１２４】
以上、自動写真撮影装置は、容易に歌詞画を作成できる。また、利用者の操作の習熟度に応じて、オリジナリティの高い歌詞画を容易に作成できる。
【０１２５】
なお、本実施の形態の自動写真撮影装置は、作成した歌詞画をシール紙に印刷したが、作成した歌詞画のデータを利用者の携帯電話端末に転送してもよい。この場合、利用者は、自分が作成した歌詞画を携帯電話端末の待ち受け画面として利用できる。
【０１２６】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【０１２７】
【図１】本発明の実施の形態による自動写真撮影装置の側面図である。
【図２】図１に示した自動写真撮影装置の内部構成を示す断面図である。
【図３】図１に示した自動写真撮影装置の筐体の正面図である。
【図４】図１に示した自動写真撮影装置により歌詞画作成の概念を示す図である。
【図５】図１に示した自動写真撮影装置の機能構成を示すブロック図である。
【図６】図１に示した自動写真撮影装置のハードディスクに記憶された装飾画像データベースの構造を示す図である。
【図７】図１に示した自動写真撮影装置のハードディスクに記憶された歌詞フレーズ画像データベースの構造を示す図である。
【図８】図１に示した自動写真撮影装置のハードディスクに記憶された歌詞テキストデータベースの構造を示す図である。
【図９】図１に示した自動写真撮影装置のハードディスクに記憶された歌詞エリアデータベースの構造を示す図である。
【図１０】図９に示した歌詞エリア情報の概念を示す図である。
【図１１】図１に示した自動写真撮影装置の動作を示すフロー図である。
【図１２】図９中のステップＳ１で表示される画面の詳細を示す図である。
【図１３】図９中のステップＳ４の処理の概要を示す図である。
【図１４】図９中のステップＳ４の動作の詳細を示すフロー図である。
【図１５】図１４中のステップＳ４２の動作の詳細を示すフロー図である。
【図１６】図１５中のステップＳ４２２で表示される画面の詳細を示す図である。
【図１７】図１５中のステップＳ４２３で表示される画面の詳細を示す図である。
【図１８】図１５中のステップＳ４２４で表示される画面の詳細を示す図である。
【図１９】図１５中のステップＳ４２５で表示される画面の詳細を示す図である。
【図２０】図１５中のステップＳ４２１又はＳ４２４で表示された画面の詳細を示す図である。
【図２１】図１５中のステップＳ４３０で表示される画面の詳細を示す図である。
【図２２】図１５中のステップＳ４３１で表示される画面の詳細を示す図である。
【図２３】図１５中のステップＳ４５０の動作の詳細を示すフロー図である。
【図２４】図２３中のステップＳ４５４で表示される画面の詳細を示す図である。
【図２５】図１５中のステップＳ４３４で表示される画面の詳細を示す図である。
【図２６】図１４中のステップＳ４５の動作の詳細を示すフロー図である。
【図２７】図２６中のステップＳ６０６で表示される画面の詳細を示す図である。
【図２８】図２６中のステップＳ６５０で表示される画面の詳細を示す図である。
【図２９】図２６中のステップＳ６５０の動作の詳細を示すフロー図である。
【図３０】図１１中のステップＳ５の動作の詳細を示すフロー図である。
【符号の説明】
【０１２８】
１  自動写真撮影装置
３  筐体
１０  カメラ
１１  ライブモニタ
１２  操作モニタ
１３  タッチペン
１０１  コンピュータ装置
１０４  ハードディスク
１２０  歌詞画見本データベース
１２１  歌詞フレーズ画像データベース
１２２  歌詞テキストデータベース
１２３  歌詞エリアデータベース
２００  見本表示エリア
【図１】
2006339951.tif 000003
【図２】
2006339951.tif 000004
【図３】
2006339951.tif 000005
【図４】
2006339951.tif 000006
【図５】
2006339951.tif 000007
【図６】
2006339951.tif 000008
【図７】
2006339951.tif 000009
【図８】
2006339951.tif 000010
【図９】
2006339951.tif 000011
【図１０】
2006339951.tif 000012
【図１１】
2006339951.tif 000013
【図１２】
2006339951.tif 000014
【図１３】
2006339951.tif 000015
【図１４】
2006339951.tif 000016
【図１５】
2006339951.tif 000017
【図１６】
2006339951.tif 000018
【図１７】
2006339951.tif 000019
【図１８】
2006339951.tif 000020
【図１９】
2006339951.tif 000021
【図２０】
2006339951.tif 000022
【図２１】
2006339951.tif 000023
【図２２】
2006339951.tif 000024
【図２３】
2006339951.tif 000025
【図２４】
2006339951.tif 000026
【図２５】
2006339951.tif 000027
【図２６】
2006339951.tif 000028
【図２７】
2006339951.tif 000029
【図２８】
2006339951.tif 000030
【図２９】
2006339951.tif 000031
【図３０】
2006339951.tif 000032